(57)【要約】【課題】映像が急激に変化したときに、映像が不自然な変化をしてしまうことのない画像表示装置を提供する。【解決手段】画像表示装置（プロジェクター１）は、入力される画像情報に基づいて画像を表示する画像表示装置であって、画像情報から１画面毎に特徴量（特徴パラメーター）を検出する検出部（特徴量検出部３３１）と、検出部によって特徴量が検出された画面の画像情報をフレームメモリー３３３に記憶し、フレームメモリー３３３において、画像情報の変換を行う画像変換部（台形歪補正部３３２）と、画像変換部で変換された画像情報に対して、特徴量に基づいた補正を行う補正部（階調補正部３３４）と、を備える。【選択図】図２
2014053662.tif 000002
【特許請求の範囲】
【請求項１】
入力される画像情報に基づいて画像を表示する画像表示装置であって、
前記画像情報から１画面毎に特徴量を検出する検出部と、
前記検出部によって前記特徴量が検出された画面の画像情報をフレームメモリーに記憶し、当該フレームメモリーにおいて、前記画像情報の変換を行う画像変換部と、
前記画像変換部で変換された前記画像情報に対して、前記特徴量に基づいた補正を行う補正部と、
を備えることを特徴とする画像表示装置。
【請求項２】
請求項１に記載の画像表示装置であって、
前記特徴量は、前記画像情報が表す画像の輝度についての特性値を含むことを特徴とする画像表示装置。
【請求項３】
請求項１に記載の画像表示装置であって、
前記画像情報はＲＧＢ信号であり、前記特徴量は、前記ＲＧＢ信号のＲＧＢの各要素の前記特性値を含むことを特徴とする画像表示装置。
【請求項４】
請求項１乃至３のいずれか一項に記載の画像表示装置であって、
前記画像変換部が行う前記変換は、台形歪補正処理を含むことを特徴とする画像表示装置。
【請求項５】
入力される画像情報に基づいて画像を表示する画像表示装置の制御方法であって、
前記画像情報から１画面毎に特徴量を検出する検出ステップと、
前記検出ステップで前記特徴量が検出された画面の画像情報をフレームメモリーに記憶する記憶ステップと、
前記記憶ステップによって前記画像情報が記憶された前記フレームメモリーにおいて、前記画像情報の変換を行う画像変換ステップと、
前記画像変換ステップによって変換された前記画像情報に対して、前記特徴量に基づいた補正を行う補正ステップと、
を備えることを特徴とする画像表示装置の制御方法。
【発明の詳細な説明】
【技術分野】
【０００１】
本発明は、画像表示装置および画像表示装置の制御方法に関する。
【背景技術】
【０００２】
従来、プロジェクター等の画像表示装置において、輝度階調補正処理を行うものが知られている。例えば、入力画像信号から、１画面の画像ごとに最小輝度、平均輝度、および最大輝度等の特徴量を取得し、取得した最小輝度、平均輝度、および最大輝度等の特徴量の組み合わせに応じて、輝度についての階調特性を補正するための補正情報を決定し、補正情報に基づいた多項式関数を用いて演算処理を行い、輝度についての階調特性を補正する階調特性補正装置が知られている（特許文献１）。
【先行技術文献】
【特許文献】
【０００３】
【特許文献１】特開２００６−２５２６３号公報
【発明の概要】
【発明が解決しようとする課題】
【０００４】
画像表示装置等において、このような輝度階調補正処理を行う場合、入力された１画面（１フレーム）の画像信号から輝度情報を取得して、その特徴量に応じた補正情報を決定し、階調特性を補正しようとしても、当該フレームの画像は既に出力されてしまっている。このため、階調特性を補正するのは、次のフレーム以降の画像となってしまっていた。このため、映像（画像）が急激に変化したときなどに、映像が不自然な変化をしてしまう場合があった。
【課題を解決するための手段】
【０００５】
本発明は、上述の課題の少なくとも一部を解決するためになされたものであり、以下の形態または適用例として実現することが可能である。
【０００６】
［適用例１］本適用例に係る画像表示装置は、入力される画像情報に基づいて画像を表示する画像表示装置であって、前記画像情報から１画面毎に特徴量を検出する検出部と、前記検出部によって前記特徴量が検出された画面の画像情報をフレームメモリーに記憶し、当該フレームメモリーにおいて、前記画像情報の変換を行う画像変換部と、前記画像変換部で変換された前記画像情報に対して、前記特徴量に基づいた補正を行う補正部と、を備えることを特徴とする。
【０００７】
このような画像表示装置によれば、検出部は、画像情報から１画面毎に特徴量を検出する。画像変換部は、画像情報をフレームメモリーに記憶し、フレームメモリーにおいて、画像情報の変換を行う。補正部は、変換された画像情報に対して、特徴量に基づいた補正を行う。これにより、１画面の画像情報から検出した特徴量に基づいた補正を、同一の画像情報に施すことが可能になる。
【０００８】
［適用例２］上記適用例に係る画像表示装置において、前記特徴量は、前記画像情報が表す画像の輝度についての特性値を含むことを特徴とする。
【０００９】
このような画像表示装置によれば、特徴量は、画像情報が表す画像の輝度についての特性値を含む。これにより、１画面の画像情報から検出した画像の輝度についての特性値に基づいた補正を、同一の画像情報に施すことが可能になる。
【００１０】
［適用例３］上記適用例に係る画像表示装置において、前記画像情報はＲＧＢ信号であり、前記特徴量は、前記ＲＧＢ信号のＲＧＢの各要素の前記特性値を含むことを特徴とする。
【００１１】
このような画像表示装置によれば、特徴量は、ＲＧＢ信号のＲＧＢの各要素の特性値を含む。これにより、１画面の画像情報から検出したＲＧＢの各要素の特性値に基づいた補正を、同一の画像情報に施すことが可能になる。
【００１２】
［適用例４］上記適用例に係る画像表示装置において、前記画像変換部が行う前記変換は、台形歪補正処理を含むことを特徴とする。
【００１３】
このような画像表示装置によれば、画像変換部が行う変換は、台形歪補正処理を含む。これにより、台形歪補正処理を行う前の画像情報から検出した特徴量に基づいた補正を、台形歪補正後の同一の画像情報に施すことが可能になる。
【００１４】
［適用例５］本適用例に係る画像表示装置の制御方法は、入力される画像情報に基づいて画像を表示する画像表示装置の制御方法であって、前記画像情報から１画面毎に特徴量を検出する検出ステップと、前記検出ステップで前記特徴量が検出された画面の画像情報をフレームメモリーに記憶する記憶ステップと、前記記憶ステップによって前記画像情報が記憶された前記フレームメモリーにおいて、前記画像情報の変換を行う画像変換ステップと、前記画像変換ステップによって変換された前記画像情報に対して、前記特徴量に基づいた補正を行う補正ステップと、を備えることを特徴とする。
【００１５】
このような画像表示装置の制御方法によれば、１画面の画像情報から検出した特徴量に基づいた補正を、同一の画像情報に施すことが可能になる。
【００１６】
また、上述した画像表示装置、および画像表示装置の制御方法が、画像表示装置に備えられたコンピューターを用いて構築されている場合には、上記形態および上記適用例は、その機能を実現するためのプログラム、あるいは当該プログラムを前記コンピューターで読み取り可能に記録した記録媒体等の態様で構成することも可能である。記録媒体としては、フレキシブルディスクやＨＤＤ（Hard Disk Drive）、ＣＤ−ＲＯＭ（Compact Disk Read Only Memory）、ＤＶＤ（Digital Versatile Disk）、Ｂｌｕ−ｒａｙ  Ｄｉｓｃ（登録商標）、光磁気ディスク、不揮発性メモリーカード、画像表示装置の内部記憶装置（ＲＡＭ（Random Access Memory）やＲＯＭ（Read Only Memory）等の半導体メモリー）、および外部記憶装置（ＵＳＢ（Universal Serial Bus）メモリー等）等、前記コンピューターが読み取り可能な種々の媒体を利用することができる。
【図面の簡単な説明】
【００１７】
【図１】実施形態に係るプロジェクターの概略構成を示すブロック図。
【図２】画像処理部の概略構成を示すブロック図。
【図３】輝度階調の補正を行う場合の階調特性を示す説明図。
【発明を実施するための形態】
【００１８】
（実施形態）
以下、画像表示装置の実施形態として、光源から射出された光を画像情報（映像信号）に基づいて変調して光学像を形成し、この光学像を外部のスクリーン等に投写するプロジェクターについて、図面を参照して説明する。
【００１９】
図１は、本実施形態に係るプロジェクターの概略構成を示すブロック図である。
図１に示すように、プロジェクター１は、画像投写部１０、制御部２０、操作受付部２１、映像信号入力部３０、映像処理部３３等を備えている。
【００２０】
画像投写部１０は、光源としての光源装置１１、光変調装置としての３つの液晶ライトバルブ１２Ｒ，１２Ｇ，１２Ｂ、投写光学系としての投写レンズ１３、液晶駆動部１４等で構成されている。画像投写部１０は、光源装置１１から射出された光を、液晶ライトバルブ１２Ｒ，１２Ｇ，１２Ｂで画像光に変調し、この画像光を投写レンズ１３から投写して投写面Ｓに画像を表示する。
【００２１】
光源装置１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。光源装置１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００２２】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂは、複数の画素（図示せず）がマトリクス状に配列された矩形状の画素領域を備えており、液晶に対して画素毎に駆動電圧を印加可能になっている。液晶駆動部１４が、入力される画像情報に応じた駆動電圧を各画素に印加すると、各画素は、画像情報に応じた光透過率に設定される。このため、光源装置１１から射出された光は、この液晶ライトバルブ１２Ｒ，１２Ｇ，１２Ｂの画素領域を透過することによって変調され、画像情報に応じた画像光が色光毎に形成される。形成された各色の画像光は、図示しない色合成光学系によって画素毎に合成されてカラーの画像光となった後、投写レンズ１３によって拡大投写される。
【００２３】
制御部２０は、ＣＰＵ（Central Processing Unit）や、各種データ等の一時記憶に用いられるＲＡＭ、不揮発性のＲＯＭ等を備えており、ＲＯＭに記憶されている制御プログラムに従ってＣＰＵが動作することによりプロジェクター１の動作を統括制御する。つまり、制御部２０は、コンピューターとして機能する。
【００２４】
操作受付部２１は、ユーザーがプロジェクター１に対して各種指示を行うための複数の操作キーを備えている。本実施形態の操作受付部２１が備える操作キーとしては、電源のオン・オフを切り替えるための電源キー、入力された映像信号を切り替えるための入力切替キー、各種設定用のメニュー画像を表示させるメニューキー、メニュー画像における項目の選択等に用いられる方向キー、選択した項目を確定させるための決定キー、台形歪補正を行うための台形歪補正キー等がある。
【００２５】
ユーザーが操作受付部２１の各種操作キーを操作すると、操作受付部２１は、この操作を受け付けて、操作された操作キーに対応する制御信号を制御部２０に出力する。そして、制御部２０は、操作受付部２１から制御信号が入力されると、入力された制御信号に基づく処理を行って、プロジェクター１の動作を制御する。なお、操作受付部２１の代わりに、あるいは操作受付部２１とともに、遠隔操作が可能なリモコン（図示せず）を入力操作部として用いた構成としてもよい。この場合、リモコンは、ユーザーの操作内容に応じた赤外線等の操作信号を発信し、図示しないリモコン信号受信部がこれを受信して制御部２０に伝達する。
【００２６】
映像信号入力部３０は、複数の入力端子を備えており、これらの入力端子には、ビデオ再生装置やパーソナルコンピューター等、図示しない外部の映像供給装置から各種形式の映像信号が入力される。映像信号入力部３０は、入力された映像信号をデジタルの映像情報に変換し、その映像情報を映像処理部３３に出力する。
【００２７】
映像処理部３３は、画像処理部３３ａを有しており、映像信号入力部３０から入力されるデジタルの映像信号を、１画面（１フレーム）の画像毎に画像処理部３３ａにて処理をして、画像情報として出力する。さらに、映像処理部３３は、制御部２０の指示に基づいて、画像情報に対して、明るさ、コントラスト、シャープネス、色合い等の画質を調整するための画質調整処理等を行い、処理後の画像情報を液晶駆動部１４に出力する。
【００２８】
ここで、画像処理部３３ａについて説明する。
図２は、画像処理部３３ａの概略構成を示すブロック図である。
【００２９】
図２に示すように、画像処理部３３ａは、検出部としての特徴量検出部３３１、画像変換部としての台形歪補正部３３２、補正部としての階調補正部３３４、フレームメモリー３３３等を備えている。
【００３０】
特徴量検出部３３１は、各画面の画像の特徴を示す特徴情報を、表示する画像の１画面単位で入力される映像信号に基づく輝度信号に基づいて、特徴パラメーター（特徴量）として取得（検出）する。本実施形態では、特徴量検出部３３１には、デジタルの映像信号としてＲＧＢ信号（Ｒｉ，Ｇｉ，Ｂｉ）が入力される。特徴量検出部３３１は、ＲＧＢ信号をＹＵＶ信号に変換して、ＹＵＶ信号のうちの輝度信号成分Ｙｉ（ここでは図示せず）を用いて、１画面の中で、輝度信号の最小輝度、最大輝度、および、平均輝度の３つの情報を特徴パラメーターとして取得する。取得した特徴パラメーターの値は、階調補正部３３４に出力される。なお、１画面単位で入力される映像信号に基づく輝度信号Ｙｉから輝度信号の最小輝度、最大輝度、および、平均輝度を求める構成は画像処理の分野において一般的であるので、ここではその説明を省略する。また、ＲＧＢ信号をＹＵＶ信号に変換するための構成も画像処理の分野において一般的であるので、ここではその説明を省略する。特徴パラメーターが取得されたＹＵＶ信号は、台形歪補正部３３２に出力される。
【００３１】
なお、特徴量検出部３３１は、ＲＧＢ信号をＹＵＶ信号に変換せずに、Ｒ，Ｇ，Ｂの各要素の特性に基づいて、特徴パラメーターを検出してもよい。この場合には、特徴パラメーターが取得されたＲＧＢ信号が、台形歪補正部３３２に出力される。
【００３２】
台形歪補正部３３２は、スクリーンＳに対してプロジェクター１を傾けた状態で画像を投写する場合に、投写画像が傾斜方向に拡大してしまう歪（台形歪）を抑制するために、入力される映像信号の補正（台形歪補正）を行う。操作受付部２１から入力される台形歪補正キー押下の情報、即ち台形歪補正指示の情報に基づいて、制御部２０は、台形歪補正部３３２に対して台形歪補正の実施を指示し、台形歪補正部３３２は台形歪補正を実施する。
【００３３】
台形歪補正部３３２は、特徴量検出部３３１によって特徴パラメーターを検出した後の映像信号（ＹＵＶ信号またはＲＧＢ信号）を入力し、フレームメモリー３３３に書き込む。ここで、フレームメモリー３３３は、１画面毎の映像信号に基づく画像情報を格納するメモリーである。台形歪補正部３３２は、フレームメモリー３３３上において、台形歪補正を行う。台形歪補正とは、画像情報から画素値の間引きを行って、傾斜方向に向かうほど投写画像を縮小させるものである。このときの台形歪補正が画像情報の変換に相当し、台形歪補正部３３２が画像変換部に相当する。そして、台形歪補正部３３２は、変換後の画像情報をフレームメモリー３３３から読み出し、階調補正部３３４に出力する。なお、制御部２０から台形歪補正の実施の指示が無い場合についても、台形歪補正部３３２は、１画面毎の映像信号に基づく画像情報をフレームメモリー３３３に書き込み、書き込んだ画像情報を読み出して階調補正部３３４に出力する。
【００３４】
階調補正部３３４は、１画面の画像情報毎に、特徴量検出部３３１から入力される特徴パラメーターの値に応じて、補正パラメーターの値を決定する。階調補正部３３４は、台形歪補正部３３２から入力される画像情報に対して、補正パラメーターに基づいた補正を行う。具体的には、画像情報の輝度信号成分Ｙｉについて非線形演算処理を施し、非線形演算処理後の輝度信号Ｙｏ（ここでは図示せず）を算出する。この非線形演算処理の特性は、補正パラメーターに従って設定される。なお、階調補正部３３４における非線形演算処理は、特徴量検出部３３１によって特徴パラメーターの検出を行った画面（フレーム）に対応した画像情報に対して実施される。つまり、特徴量検出部３３１によって特徴パラメーターが検出された後、台形歪補正部３３２によって台形歪補正が施された画像情報に対して、階調補正部３３４は、非線形演算処理（補正処理）を行い、画像情報の輝度階調の補正を行う。
【００３５】
階調補正部３３４は、補正が行われた画像情報をＹＵＶ信号からＲＧＢ信号の形式に変換する。具体的には、ＹＵＶ信号をＲＧＢ信号Ｒｏ，Ｇｏ，Ｂｏに変換する。変換後のＲＧＢ信号Ｒｏ，Ｇｏ，Ｂｏは、画像処理部３３ａから出力される。なお、ＹＵＶ信号をＲＧＢ信号に変換する構成は画像処理の分野において一般的であるので、その説明は省略する。
【００３６】
なお、特徴量検出部３３１において、ＲＧＢ信号から、Ｒ，Ｇ，Ｂの各要素についての特徴パラメーターを検出した場合には、階調補正部３３４は、１画面の画像情報毎に、特徴量検出部３３１から入力される特徴パラメーターの値に応じて、補正パラメーターの値を決定する。そして、階調補正部３３４は、台形歪補正部３３２から入力される画像情報のＲ，Ｇ，Ｂについて非線形演算処理を施し、非線形演算処理後のＲｏ，Ｇｏ，Ｂｏを算出する。非線形演算処理の特性は、補正パラメーターに従って設定される。この場合においても、階調補正部３３４における非線形演算処理は、特徴量検出部３３１によって特徴パラメーターの検出を行った画面（フレーム）に対応した画像情報に対して実施される。つまり、特徴量検出部３３１によって特徴パラメーターが検出された後、台形歪補正部３３２によって台形歪補正が施された画像情報に対して、階調補正部３３４は、非線形演算処理（補正処理）を行い、画像情報のＲ，Ｇ，Ｂの補正を行う（ゲインを掛ける）。
【００３７】
階調補正部３３４によって、補正が行われたＲＧＢ信号Ｒｏ，Ｇｏ，Ｂｏは、画像処理部３３ａから出力され、必要に応じて画質調整処理等が行われた後で、映像処理部３３から出力される。
【００３８】
ここで、階調補正部３３４が輝度階調の補正を行う場合の階調特性（入出力特性）についての例を示す。
図３は、輝度階調の補正を行う場合の階調特性を示す説明図である。
【００３９】
図３では、入力される輝度信号Ｙｉに対して出力される輝度信号Ｙｏのグラフが表されている。ここで、輝度階調は、１０２４階調で表現されている。図３には、基準直線Ｌ、および、例としての補正曲線Ｒが示されている。この場合の補正曲線Ｒでは、輝度の低い側、即ち暗い側を重視した階調特性となっている。
【００４０】
このように、階調補正部３３４は、特徴量検出部３３１で検出した特徴パラメーター（特徴量）に基づいた輝度階調補正処理を行うことができる。
【００４１】
図１に戻り、映像処理部３３から出力された補正された画像情報は、液晶駆動部１４に入力される。
【００４２】
液晶駆動部１４は、映像処理部３３から入力される画像情報に従って液晶ライトバルブ１２Ｒ，１２Ｇ，１２Ｂを駆動する。これにより、光源装置１１から射出された光は、液晶ライトバルブ１２Ｒ，１２Ｇ，１２Ｂによって画像情報に応じて変調され、投写レンズ１３から投写される。
【００４３】
上述した実施形態によれば、以下の効果が得られる。
（１）プロジェクター１は、１画面毎の映像信号（画像情報）から特徴パラメーターを検出する。そして、特徴パラメーター（特徴量）を検出した１画面毎の画像情報をフレームメモリー３３３に記憶し、台形歪補正を行う。そして、台形歪補正された後の画像情報に対して、前述した特徴パラメーターに基づいた補正を行う。つまり、画像情報をフレームメモリー３３３に一旦記憶することによって、１画面の画像情報から検出した特徴パラメーターに基づいた補正を、同一の画像情報に施すことが可能になる。これにより、映像が急激に変化したときに、映像が不自然な変化をしてしまうことを回避できる。
【００４４】
従来のプロジェクターにおいては、入力された１画面の画像情報をフレームメモリーに格納して台形歪補正処理を行い、その後に画像情報から特徴パラメーターを検出し、その特徴パラメーターを所定のメモリーに記憶させていた。そして、次に入力された１画面の画像情報に対して、所定のメモリーに記憶されている特徴パラメーターに基づいた補正を行っていたため、補正が施される画像情報が１画面分遅れていた。本実施形態のプロジェクター１によれば、補正の遅れを解消し、映像の不自然な変化を回避することができる。
【００４５】
さらに、従来のプロジェクターでは、台形歪補正処理を行った後で、特徴パラメーター（特徴量）を検出していたため、台形歪補正処理によって、１画面の画像情報内に黒色の画素が設定された場合、階調特性に影響を及ぼしてしまう虞があった。つまり、黒色の画素が、検出する特徴パラメーターに影響を与えてしまい、結果として、画像情報に対する階調補正が正しく行えない場合があった。本実施形態のプロジェクター１によれば、画像情報に対する階調補正を良好に行うことができる。
【００４６】
（２）プロジェクター１において、特徴パラメーターは、画像情報が表す画像の輝度についての特性値（輝度信号の最小輝度、最大輝度、および、平均輝度）を含むことができる。これにより、１画面の画像情報から検出した輝度の特徴パラメーターに基づいた補正を、同一の画像情報に施すことが可能になる。よって、映像の輝度が急激に変化したときに、映像が不自然に変化してしまう事態を回避することができる。
【００４７】
（３）プロジェクター１において、特徴パラメーターは、ＲＧＢ信号のＲ，Ｇ，Ｂの各要素の特性値を含むことができる。これにより、１画面の画像情報から検出したＲＧＢの各要素の特性値に基づいた補正を、同一の画像情報に施すことが可能になる。よって、映像のＲＧＢの階調特性が急激に変化したときに、映像が不自然に変化してしまう事態を回避することができる。
【００４８】
（４）プロジェクター１は、画像情報の変換として台形歪補正を行う。そして、プロジェクター１は、台形歪補正（変換）を行う前の画像情報から検出した特徴パラメーターに基づいた補正を、台形歪補正（変換）後の画像情報に施す。画像情報において、ユーザーが視認する画像部分の階調特性は、台形歪補正を行う前と行った後とを比較した場合に、変化が少ない。即ち、台形歪補正は、画像情報の階調特性（特徴量）に与える影響が少ないため、特徴パラメーターによって、好適な階調補正を行うことが可能になる。
【００４９】
なお、上述した実施形態に限定されず、種々の変更や改良等を加えて実施することが可能である。変形例を以下に述べる。
【００５０】
（変形例１）上記実施形態では、画像情報の変換として台形歪補正を行うものとしたが、他の幾何学的変換処理としてもよい。また、画像情報の変換は、幾何学変換処理に限られず、スケーラーによるスケーリング処理やフレームレートの変換処理としてもよい。これらの処理は、フレームメモリー３３３に画像情報を一旦記憶して行う処理であり、また、画像情報の階調特性に与える変化が少ないため、特徴量を検出して、その特徴量に基づいた階調補正を施す場合に好適である。また、フレームメモリー３３３に画像情報を一旦記憶する変換処理であれば、その他の幾何学変換や、画像情報の階調特性に与える変化が少ない変換であってもよい。
【００５１】
（変形例２）上記実施形態では、ＲＧＢ信号をＹＵＶ信号に変換する態様について説明しているが、ＲＧＢ信号から輝度信号成分Ｙだけを算出してもよい。この場合には、特徴量検出部３３１、台形歪補正部３３２および階調補正部３３４において処理される画像情報はＲＧＢで表される。そして、階調補正部３３４における補正では、ＲＧＢの各要素に対して、輝度信号成分Ｙの特徴パラメーター（特徴量）に基づいた補正を行う（ゲインを掛ける）。
【００５２】
（変形例３）上記実施形態では、特徴パラメーターは、輝度信号の最小輝度、最大輝度、および、平均輝度としているが、特徴パラメーターはこれに限定するものではなく、映像信号（画像情報）に基づく他の情報としてもよい。
【００５３】
（変形例４）上記実施形態では、特徴パラメーターに基づく補正パラメーターの値は、階調補正部３３４によって決定するものとしたが、特徴量検出部３３１において、特徴パラメーターに基づく補正パラメーターの値を決定してもよい。この場合は、特徴量検出部３３１は、決定した補正パラメーターを階調補正部３３４に出力する。そして、階調補正部３３４は、入力された補正パラメーターに基づいて、画像情報に補正を行う。
【００５４】
（変形例５）上記実施形態では、特徴パラメーターに基づく補正によって、画像の輝度階調を補正するものとしたが、プロジェクター１は、光源装置１１から射出される光を調整する調光駆動部（図示せず）を備えるものとし、輝度階調の補正と調光駆動部とを連携して制御してもよい。こうすれば、投写される画像の輝度調整をダイナミックに行うことが可能になる。
【００５５】
（変形例６）上記実施形態では、画像処理部３３ａにフレームメモリー３３３を有するものとしているが、フレームメモリー３３３は、画像処理部３３ａの外部に備えられるＤＲＡＭ（図示せず）等としてもよい。この場合は、画像処理部３３ａにＤＲＡＭインターフェースを有するものとする。
【００５６】
（変形例７）上記実施形態では、画像表示装置としてプロジェクター１を例にして説明しているが、画像表示装置はプロジェクターに限定するものではない。例えば、透過型のスクリーンを一体的に備えたリアプロジェクター、液晶ディスプレイ、プラズマディスプレイ、有機ＥＬ（Electro Luminescence）ディスプレイ、テレビ受信機等に適用することも可能である。
【００５７】
（変形例８）上記実施形態では、光源装置１１は、放電型の光源ランプ１１ａを有して構成されているが、ＬＥＤ（Light Emitting Diode）光源やレーザー等の固体光源や、その他の光源を用いることもできる。
【００５８】
（変形例９）上記実施形態では、プロジェクター１は、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【符号の説明】
【００５９】
１…プロジェクター、１０…画像投写部、１１…光源装置、１１ａ…光源ランプ、１１ｂ…リフレクター、１２Ｒ，１２Ｇ，１２Ｂ…液晶ライトバルブ、１３…投写レンズ、１４…液晶駆動部、２０…制御部、２１…操作受付部、３０…映像信号入力部、３３…映像処理部、３３ａ…画像処理部、３３１…特徴量検出部、３３２…台形歪補正部、３３３…フレームメモリー、３３４…階調補正部。
【図１】
2014053662.tif 000003
【図２】
2014053662.tif 000004
【図３】
2014053662.tif 000005